(57)【要約】【課題】複数の画面のうち情報を表示する画面を容易且つ効率的に選択することができる。【解決手段】複数の画面を用いて画像を表示する表示装置１０であって、複数の画面を提供可能であり、所定の画像を表示させるために選択されるアイコンを表示する表示部５０Ａ，５０Ｂと、アイコンの選択に応じて表示部５０Ａ，５０Ｂに表示される画像を制御する制御部１１と、を備える。制御部１１は、アイコンが選択されたとき、表示部５０Ｂにおいてアイコンに対応した位置に複数の画面の位置関係を示す領域ＷＤを表示させ、表示された領域ＷＤのうち一つの領域部分が選択されたとき、所定の画像を領域部分に対応する画面に表示させる。【選択図】図２
2014171054.tif 000002
【特許請求の範囲】
【請求項１】
複数の画面を用いて画像を表示する表示装置であって、
前記複数の画面を提供可能であり、所定の画像を表示させるために選択されるアイコンを表示する表示部と、
前記アイコンの選択に応じて前記表示部に表示される画像を制御する制御部と、
を備え、
前記制御部は、
前記アイコンが選択されたとき、前記表示部において前記アイコンに対応した位置に前記複数の画面の位置関係を示す領域を表示させ、
表示された前記領域のうち一つの領域部分が選択されたとき、前記所定の画像を前記領域部分に対応する画面に表示させる、
表示装置。
【請求項２】
前記表示部に表示されたアイコンは、監視カメラの映像を表示させるために選択されるアイコンであり、
前記制御部は、
前記監視カメラの映像を取得し、
表示された前記領域のうち一つの領域部分が選択されたとき、前記監視カメラの映像を選択された前記領域部分に対応する画面に表示させる、
請求項１に記載の表示装置。
【請求項３】
前記制御部は更に、
前記アイコンが選択されたとき、前記複数の画面のうちいずれかに前記所定の画像が表示されているかどうかを判定し、
表示されている場合は、前記領域を表示させないように制御する、
請求項１又は２に記載の表示装置。
【請求項４】
請求項１から３のいずれかに記載の表示装置と、
前記所定のエリアに設置され、前記表示装置と通信可能な複数の監視カメラと、
を備える、
監視システム。
【請求項５】
複数の画面を用いて画像を表示する表示装置の機能を実行する表示制御プログラムであって、
所定の画像を表示させるためのアイコンが選択されたとき、前記アイコンに対応した位置に前記複数の画面の位置関係を示す領域を表示させるステップと、
表示された前記領域のうち一つの領域部分が選択されたとき、前記所定の画像を前記領域部分に対応する画面に表示させるステップと、
をコンピュータに実行させるプログラム。
【発明の詳細な説明】
【技術分野】
【０００１】
本発明は、複数の画面を用いた表示装置、同表示装置を有する監視システム、および表示制御プログラムに関する。
【背景技術】
【０００２】
従来、遠隔に設置された複数の監視カメラからネットワークを通じて映像を収集し、同映像を用いて対象地域の監視を行う監視システムが知られている。かかる監視システムでは、監視モニタに監視対象地域の地図を表示し、表示地図上に監視カメラ映像を重畳させて表示させるものがある（例えば、特許文献１及び特許文献２参照）。
【先行技術文献】
【特許文献】
【０００３】
【特許文献１】特開２００２−３４４８９７号
【特許文献２】特開２００３−２４４６８３号
【発明の概要】
【発明が解決しようとする課題】
【０００４】
ところで、監視システムに限らず、複数の画面を用いて所定の情報を所定の画面に表示する表示装置は広く利用されている。操作者は、情報の内容や操作環境等に応じて複数の画面のうち情報を表示すべき画面を選択しなければならない。
本発明の目的は、複数の画面のうち情報を表示する画面を容易且つ効率的に選択可能にすることにある。
【課題を解決するための手段】
【０００５】
上記課題を解決するため、本発明の表示装置は、複数の画面を用いて画像を表示する表示装置であって、複数の画面を提供可能であり所定の画像を表示させるために選択されるアイコンを表示する表示部と、アイコンの選択に応じて表示部に表示される画像を制御する制御部と、を備える。制御部は、アイコンが選択されたとき、表示部においてアイコンに対応した位置に複数の画面の位置関係を示す領域を表示させ、表示された領域のうち一つの領域部分が選択されたとき、所定の画像を同領域部分に対応する画面に表示させる。
【発明の効果】
【０００６】
本発明によれば、複数の画面のうち情報を表示する画面を容易且つ効率的に選択することができる。
【図面の簡単な説明】
【０００７】
【図１】実施の形態１に係る監視システムの構成の一例を示す図。
【図２】同監視システムにおける監視装置の構成の一例を示す図。
【図３】同監視システムにおける監視カメラの構成の一例を示す図。
【図４】監視装置の動作を示すフローチャート。
【図５】監視装置により生成される画面表示の一例を示す図。
【図６】実施の形態１における画面表示の遷移を簡略化して示す図。
【図７】実施の形態２に係る表示装置の構成の一例を示す図。
【図８】同表示装置の動作を示すフローチャート。
【図９】実施の形態２における画面表示の遷移を簡略化して示す図。
【発明を実施するための形態】
【０００８】
（実施の形態１）
以下、本発明の実施の形態１における監視システムの構成およびその機能について説明する。この監視システムは、所定のエリアに配置された監視カメラの映像を取得し、その映像を複数の画面のうちの選択された画面に表示するものである。
（１−１．構成）
（１−１−１．監視システム１の構成例）
図１は、本実施の形態における監視システム１の概略構成を示す。監視システム１は、監視装置１０（表示装置の一例）と、遠隔に設置され、監視装置１０にＬＡＮや外部のＩＰ網等のネットワークを介して通信可能に接続された複数の監視カメラ３０（監視カメラの一例）を備える。
監視カメラ３０は、画面に地図が表示可能なエリアであるＡ１、Ａ２・・・に複数配置される。監視装置１０は、二つのモニタ５０Ａ、５０Ｂに接続され、監視カメラ３０から送信される映像を表示する。
【０００９】
（１−１−２．監視装置１０の構成例）
図２は、監視装置１０の概略構成例を示す。監視装置１０は、監視カメラ３０等から受信した映像等のデータを処理し、出力するコンピュータ装置であって、例えばサーバとして機能する。監視装置１０は、ＣＰＵ１１、ネットワークインターフェース１２、入力部１３、記憶部１５、表示画像出力部１６を備え、更に二つのモニタ５０Ａ及び５０Ｂに接続される。
【００１０】
制御部であるＣＰＵ１１は、読み出したコンピュータプログラムに従って、後述する処理を実行する。
ネットワークインターフェース１２は、有線又は無線でネットワーク接続するためのインターフェースであり、監視カメラ３０等に対するデータの送受信を行う。
入力部１３は、操作者（例えば、監視システム１を用いた業務を行う者）からの指示入力を受け付ける手段であって、例えば、キーボード、マウス、スイッチ、画面上のタッチパネル等である。
【００１１】
記憶部１５は、監視装置１０が処理を行うデータやプログラムを格納する外部メモリ等の記憶手段である。記憶部１５は、例えば、監視カメラ３０から受信する映像データを記憶する。
表示画像出力部１６は、ＣＰＵ１１の指令に基づきメインモニタ５０Ａやサブモニタ５０Ｂにおいて表示可能な画像を生成し出力するものであり、例えばビデオカード等である。
【００１２】
メインモニタ５０Ａ（表示部の一例）及びサブモニタ５０Ｂ（表示部の一例）は、表示画像出力部１６により出力された画像を表示するＬＣＤや有機ＥＬディスプレイ等の表示手段である。メインモニタ５０Ａは複数に分割表示された画面（本実施の形態では４分割画面）に、監視カメラ３０の映像をそれぞれ表示する。サブモニタ５０Ｂは、監視対象エリアの地図を表示し、同地図上に監視カメラ３０の位置を示すアイコンを表示し、更に後述する処理により画像表示領域を示すウィンドウ（複数の画面の位置関係を示す領域の一例）をポップアップ表示する。
【００１３】
なお、アイコンとは、表示画面においてＣＰＵ１１が処理する対象を図形、文字、記号等によって簡略化して表現したもの全般を含み、本実施の形態において示されるものは一例に過ぎない。
ＣＰＵ１１（制御部の一例）は、コンピュータプログラムを実行することにより、監視カメラ特定部１１１、カメラ映像制御部１１２、及び画像制御部１１３の機能を実行する。
【００１４】
監視カメラ特定部１１１は、操作者による操作（サブモニタ５０Ｂの地図に表示された、監視カメラ３０を示すアイコンの選択）に応じて、選択されたアイコンに対応する監視カメラ３０を特定する。
カメラ映像制御部１１２は、監視カメラ特定部１１１により特定された監視カメラ３０の映像を取得或いは決定する。
【００１５】
画像制御部１１３は、メインモニタ５０Ａ及びサブモニタ５０Ｂに表示する画像を制御する。例えば、画像制御部１１３は、後述するように、操作者による操作（サブモニタ５０Ｂの地図に表示された、監視カメラ３０を示すアイコンの選択）に応じて、サブモニタ５０Ｂに表示された地図上に画像表示領域ウィンドウをポップアップ表示するよう制御する。画像制御部１１３はまた、サブモニタ５０Ｂに表示された画像表示領域ウィンドウＷＤに対する操作者の選択操作に応じて、カメラ映像制御部１１２により決定された映像を、メインモニタ５０Ａの４つの画面のうち選択された一画面に表示するよう制御する。
【００１６】
（１−１−３．監視カメラ３０の構成例）
監視カメラ３０は、監視装置１０に対し、撮像した画像を送信する。図３に示すように、監視カメラ３０は、ＤＳＰ（Digital Signal Processor）３１と、ネットワークインターフェース３２と、記憶部３５と、撮像部３９とを備える。ＤＳＰ３１は、信号処理部３１１及び画像圧縮部３１２を含み、撮像部３９より取得された画像のデジタル信号処理を行う。信号処理部３１１は、撮像部３９から取得した画像をデジタル変換し、所定の画像処理を行う。画像圧縮部３１２は、デジタル画像をＪＰＥＧやＭＰＥＧ−４により圧縮する。
【００１７】
ネットワークインターフェース３２は、圧縮画像を通信ネットワークを介して監視装置１０に送信する。記憶部３５は、画像処理されたデジタル画像を一時的に格納したり、プログラムを格納する。
撮像部３９は、被写体の撮像を行うＣＣＤやＣ−ＭＯＳ等の撮像素子や、監視装置１０からの指令信号に応じてズーム、フォーカス、パン、チルト等の撮像制御を行う撮像制御機構を有する。
【００１８】
（１−２．動作）
以下において、図４を参照しながら、監視装置１０による処理について説明する。初期状態において、本監視装置１０のコンピュータプログラムを実行するソフトウエアが起動しているものとする。このとき、メインモニタ５０Ａの４つの画面にはそれぞれ所定のカメラ映像が表示され、サブモニタ５０Ｂには所定のエリアの地図が表示され、同所定のエリアに設置されている監視カメラ３０のアイコンが同地図上の設置位置に表示されている。
【００１９】
ステップＳ１０１：監視装置１０の操作者は、サブモニタ５０Ｂ上に表示された所望の監視カメラ３０のアイコンを、マウスによるクリック操作等により選択する。
ステップＳ１０２：監視カメラ特定部１１１は、ステップＳ１０１における選択操作に応じて、予め格納された監視カメラ３０のＩＤ情報に基づき選択されたアイコンに対応する監視カメラ３０を特定する。
【００２０】
ステップＳ１０３：画像制御部１１３は、ステップＳ１０２で特定された監視カメラ３０の映像がメインモニタ５０Ａに表示されているかどうかを判定する。表示されていない場合のみステップＳ１０４に進む。
ステップＳ１０４：画像制御部１１３は、サブモニタ５０Ｂに表示された地図において、ステップＳ１０１で選択されたアイコン近傍に画像表示領域を示すウィンドウＷＤをポップアップ表示させる。図５に示すように、表示される画像表示領域ウィンドウＷＤは、４つの領域部分からなり、その形態はメインモニタ５０Ａの４つの画面の位置関係を表現する。
【００２１】
なお、画像表示領域の各領域部分には、図５に示すように番号や記号を表示することにより、操作者が各領域部分を選択しやすいようにしてもよい。また、ポップアップ表示された画像表示領域ウィンドウＷＤは、特定された監視カメラ３０との対応が分かるように同監視カメラ３０のアイコンから引き出された形態で表示される。このようにして、画像制御部１１３により決定された画像表示領域ウィンドウＷＤは、表示画像出力部１１６を介してサブモニタ５０Ｂに表示される。
【００２２】
ステップＳ１０５：監視装置１０の操作者は、サブモニタ５０Ｂ上にポップアップ表示された画像表示領域ウィンドウＷＤのうち一つの領域部分を、マウスによるクリック操作やキーボードの番号入力等により選択する。このとき、操作者は、画像表示領域ウィンドウＷＤのうち、選択した監視カメラの映像を表示したいと考える画面に対応する領域部分を選択する。
【００２３】
ステップＳ１０６：カメラ映像制御部１１２は、ステップＳ１０２において特定された監視カメラ３０の映像を取得する。
ステップＳ１０７：画像制御部１１３は、メインモニタ５０Ａの画面を切り換える。具体的には、画像制御部１１３は、メインモニタ５０Ａに表示された４つの画面のうち、サブモニタ５０Ｂで選択された領域部分に対応する一つの画面を特定し、同画面にステップＳ１０６において取得した映像を表示させる。
以上の処理の結果、メインモニタ５０Ａ及びサブモニタ５０Ｂの画面は、次のように遷移する。
【００２４】
図６（ａ）に示すようにメインモニタ５０Ａには４つの画面にそれぞれ、映像Ａ、映像Ｂ、映像Ｃ、及び映像Ｄが表示されているものとし、サブモニタ５０Ｂには地図上に監視カメラ３０のアイコンが複数表示されているものとする。操作者がサブモニタ５０Ｂに表示された地図上の所望の監視カメラ３０Ｅのアイコンを選択操作すると、図６（ｂ）に示すように、同監視カメラ３０Ｅのアイコンから引き出すように画像表示領域ウィンドウＷＤがポップアップ表示される。更に操作者は、図６（ｃ）に示すように、画像表示領域ウィンドウＷＤのうち一つの領域部分（ここでは、３番目の領域部分）を選択操作する。選択された領域部分は、同図に示すように、選択されたことがわかるように太枠や反転等のＧＵＩを用いる。この選択操作により、メインモニタ５０Ａの４つの画面のうち選択された３番目の領域部分に対応する画面が、監視カメラ３０Ｅの映像Ｅに切り換えられる。そして、図６（ｄ）に示すように、サブモニタ５０Ｂでは画像表示領域ウィンドウのポップアップ表示が閉じられる。なお、このとき、同図に示すように、画像制御部１１３は、監視カメラ３０Ｅのアイコンを、その映像が表示中であることが分かるようなアイコンを変更してもよい。
【００２５】
（１−３．効果等）
本実施の形態に係る監視装置１０によれば、サブモニタ５０Ｂに表示した地図上の監視カメラ３０のアイコンを選択すると、メインモニタ５０Ａの複数画面の位置関係を示す画像表示領域ウィンドウＷＤが表示され、メインモニタ５０Ａの複数画面のうち所望の画面に映像が表示できるよう事前に画面選択できる。これにより、複数の画面のうち映像を表示させる画面を容易且つ効率的に選択することができる。
【００２６】
また、本実施の形態に係る監視装置１０によれば、メインモニタ５０Ａにおいて選択された監視カメラ３０の映像が表示されている場合は、サブモニタ５０Ｂに表示した監視カメラ３０のアイコンを選択しても、画面選択領域は表示されない。このため、操作者は選択した監視カメラ３０の映像がすでにメインモニタ５０Ａで表示されていることを認知できる。これにより、無駄な操作を発生させず監視作業を効率化できる。
【００２７】
（１−４．実施の形態１の変形例）
（１）
上記実施の形態においては、メインモニタ５０Ａに表示される画面の数や配置は設定によって変更できる。この変更に合わせて、監視装置１０の画像制御部１１３によってポップアップ表示される画像表示領域ウィンドウＷＤに表現される画面の数や配置も自動的に変更される。
【００２８】
（２）
メインモニタ５０Ａは複数設けてもよい。また、一画面表示のメインモニタ５０Ａを複数設け、サブモニタ５０Ｂにポップアップ表示する画像表示領域ウィンドウＷＤを、その数や配置を表現する形態で表示するようにしてもよい。
（３）
サブモニタ５０Ｂに表示された地図上の画像表示領域ウィンドウＷＤは、例えば、マウスによりウィンドウのタイトルバーを選択・ドラッグすることにより、表示されている地図上を移動させることができる。この場合、対応する監視カメラ３０との関連性を引き続き表示するために、画像表示領域ウィンドウＷＤの引き出し部分のポイントは監視カメラ３０のアイコン上に固定させたまま、引き出し部分を引き延ばすことにより地図上の位置を変更する。
【００２９】
（４）
上記実施の形態においては、屋外のエリアを監視対象としているが、施設構内、建物内、或いは電車等を監視対象とするものであってもよい。この場合、サブモニタ５０Ｂには、監視対象物のマップ（レイアウトや見取り図を含む）上に監視カメラの位置に対応させてアイコンを表示させる。
また、サブモニタ５０Ｂはマップを表示することに限定されない。例えば、監視カメラ３０とその位置を示す一覧表示等からなる文字情報に対し、所定の監視カメラ３０を示す行を選択することにより上記のような画像表示領域ウィンドウをポップアップ表示させるようにしてもよい。
【００３０】
（実施の形態２）
以下、本発明の実施の形態２における表示装置の構成およびその機能について説明する。この表示装置は、アイコンの選択によりアプリケーション等（フォルダやファイルを含む）を開く前に、当該アプリケーション等の画面を複数の画面のうちいずれの画面に表示するか選択可能にするものである。
【００３１】
（２−１．構成）
（２−１−１．表示装置２０の構成例）
図７は、表示装置２０の概略構成例を示す。表示装置２０は、入力されるデータを処理し出力するコンピュータ装置である。表示装置２０は、ＣＰＵ２１、ネットワークインターフェース２２、入力部２３、記憶部２５、表示画像出力部２６を備え、二つのモニタ２５０Ａ，２５０Ｂに接続される。
【００３２】
制御部であるＣＰＵ２１は、読み出したコンピュータプログラムに従って、後述する処理を実行する。ネットワークインターフェース２２は、有線又は無線でネットワーク接続するためのインターフェースであり、他のコンピュータに対するデータの送受信を行う。入力部２３は、表示装置２０の操作者からの指示入力を受け付ける手段であって、例えば、キーボード、マウス、スイッチ、画面上のタッチパネル等である。記憶部２５は、表示装置２０が処理を行うデータやプログラムを格納する外部メモリ等の記憶手段である。表示画像出力部２６は、ＣＰＵ２１の指令に基づき第１モニタ２５０Ａや第２モニタ２５０Ｂにおいて表示する画像を生成し出力するものであり、例えばビデオカード等である。
【００３３】
第１モニタ２５０Ａ（表示部の一例）及び第２モニタ２５０Ｂ（表示部の一例）は、表示画像出力部２６により出力された画像を表示するＬＣＤや有機ＥＬディスプレイ等の表示手段である。
ＣＰＵ２１（制御部の一例）は、コンピュータプログラムを実行することにより、画像制御部２１１の機能を実行する。画像制御部２１１は、後述するように、第１モニタ２５０Ａ及び第２モニタ２５０Ｂに表示する画像を制御する。
【００３４】
（２−２．動作）
以下において、図８を参照しながら、表示装置２０による処理について説明する。初期状態において、本表示装置２０は少なくともＯＳ（グラフィカルユーザインターフェースをもつもの）が起動しているものとする。このとき、第１モニタ２５０Ａ及び第２モニタ２５０ＢにはＯＳ画面（例えば、デスクトップ画面）が表示され、アプリケーション、ファイル、フォルダ等のショートカット用アイコンが少なくとも一つは表示されているものとする。
【００３５】
ステップＳ２０１：表示装置２０の操作者は、第２モニタ２５０Ｂ上に表示されたショートカット用アイコン（ここでは、アプリケーション起動用のアイコンとする）を、マウスによるクリック操作等により選択する。
ステップＳ２０２：表示装置２０は、ステップＳ２０１における選択操作に応じて、選択されたアイコンに対応するアプリケーションを特定する。
【００３６】
ステップＳ２０３：画像制御部２１１は、ステップＳ２０１で選択されたアイコン近傍に画像表示領域を示すウィンドウをポップアップ表示させる。表示される画像表示領域ウィンドウＷＤは、表示装置２０に接続された第１モニタ２５０Ａ及び第２モニタ２５０Ｂの位置関係を示す形態で表示される。
ステップＳ２０４：表示装置２０の操作者は、第２モニタ２５０Ｂ上にポップアップ表示された画像表示領域ウィンドウＷＤのうち一つの領域部分を、マウスによるクリック操作やキーボードの番号入力等により選択する。
【００３７】
ステップＳ２０５：表示装置２０は、ステップＳ２０２において特定されたアプリケーションを起動する。
ステップＳ２０６：画像制御部２１１は、ステップＳ２０４において選択された領域部分に対応するモニタ（ここでは、第１モニタ２５０Ａとする）を選択し、同モニタに起動したアプリケーション画面を表示させる。
【００３８】
以上の処理の結果、第１モニタ２５０Ａ及び第２モニタ２５０Ｂの画面は、次のように遷移する。
図９（ａ）に示すように、第１モニタ２５０Ａ及び第２モニタ２５０ＢにはＯＳ画面が表示され、第２モニタ２５０Ｂにはアプリケーション起動用のアイコンが表示されているものとする。操作者が第２モニタ２５０Ｂに表示されたアイコンを選択操作すると、図９（ｂ）に示すように、アイコンから引き出すように画像表示領域ウィンドウＷＤがポップアップ表示される。
【００３９】
なお、画像表示領域ウィンドウＷＤは、図９（ｂ）に示すように番号や記号を表示することにより、操作者がモニタを特定しやすいようにしてもよい。
更に操作者は、図９（ｃ）に示すように、画像表示領域ウィンドウＷＤのうち一つの領域部分（ここでは、１番目の領域）を選択する。選択された領域部分は、同図に示すように、選択されたことがわかるように太枠や反転等のＧＵＩを用いる。そして、図９（ｄ）に示すように、選択された第１モニタ２５０Ａでは起動されたアプリケーションの画面が表示され、第２モニタ２５０Ｂでは画像表示領域のポップアップ表示が閉じられる。
【００４０】
（２−３．効果等）
本実施の形態に係る表示装置２０によれば、第２モニタ２５０Ｂに表示したアイコンを選択してアプリケーションを起動するとき（或いは所定のフォルダやファイルを開くとき）、選択したアイコンによって起動される画面を表示するのに第１モニタ２５０Ａ及び第２モニタ２５０Ｂのいずれかを事前に選択することができる。これにより、複数の画面のうち処理対象又は操作対象を表示させる画面を容易且つ効率的に選択することができる。
【００４１】
（その他実施の形態）
以上、図面を用いて本発明の実施形態を説明したが、本発明の具体的な構成は、前述の実施形態に限られるものではなく、発明の要旨を逸脱しない範囲で種々の変更及び修正が可能である。
例えば、モニタの数は上記実施の形態のものに限定されない。
【００４２】
また、監視装置１０又は表示装置２０は一つのコンピュータ装置で構成されている必要はなく、接続された複数のコンピュータ装置で構成されていてもよい。
【産業上の利用可能性】
【００４３】
本発明は、複数の画面を用いて画像を表示する表示装置等として適用可能である。
【符号の説明】
【００４４】
１          監視システム
１０        監視装置（表示装置の一例）
１１        ＣＰＵ（制御部の一例）
１１１      監視カメラ特定部
１１２      カメラ映像制御部
１１３      画像制御部
１２        ネットワークインターフェース
１３        入力部
１５        記憶部
１６        表示画像出力部
５０Ａ      メインモニタ（表示部の一例）
５０Ｂ      サブモニタ（表示部の一例）
２０        表示装置（表示装置の一例）
２１        ＣＰＵ
２１１      画像制御部
２２        ネットワークインターフェース
２３        入力部
２４        表示部
２５        記憶部
２６        表示画像出力部
２５０Ａ    第１モニタ（表示部の一例）
２５０Ｂ    第２モニタ（表示部の一例）
３１        ＤＳＰ
３１１      信号処理部
３１２      画像圧縮部
３２        ネットワークインターフェース
３５        記憶部
３９        撮像部
【図１】
2014171054.tif 000003
【図２】
2014171054.tif 000004
【図３】
2014171054.tif 000005
【図４】
2014171054.tif 000006
【図５】
2014171054.tif 000007
【図６】
2014171054.tif 000008
【図７】
2014171054.tif 000009
【図８】
2014171054.tif 000010
【図９】
2014171054.tif 000011